(57)【要約】  リジェクト要因を直感的に報知するために、紙幣処理装置１００は、紙幣を受け入れて１枚ずつ内部に取り込む受入部１０３と、受入部１０３によって取り込まれた紙幣を識別する識別部１０４と、紙幣を集積する集積部１０７と、リジェクト紙幣を集積するリジェクト部１０５と、複数の形態で発光するリジェクト発光部１０６と、受入部１０３によって取り込まれた紙幣を集積部１０７又はリジェクト部１０５に搬送する搬送部１０８と、  識別部１０４によってリジェクト紙幣が識別された場合に、当該リジェクト紙幣のリジェクト要因毎に異なる形態で発光するようにリジェクト発光部１０６を制御する制御部１０２と、を備える。
2009122500.tif 000002
【特許請求の範囲】
【請求項１】
紙幣を受け入れて１枚ずつ内部に取り込む受入部と、
前記受入部によって取り込まれた紙幣を識別する識別部と、
紙幣を集積する集積部と、
リジェクト紙幣を集積するリジェクト部と、
複数の形態で発光するリジェクト発光部と、
前記受入部によって取り込まれた紙幣を前記集積部又は前記リジェクト部に搬送する搬送部と、
前記識別部によってリジェクト紙幣が識別された場合に、当該リジェクト紙幣のリジェクト要因毎に異なる形態で発光するように前記リジェクト発光部を制御する制御部と、を備えることを特徴とする紙幣処理装置。
【請求項２】
前記制御部は、前記識別部によって同一のリジェクト要因を有する紙幣が所定枚数識別された場合に、当該リジェクト要因に対応する形態で発光するように前記リジェクト発光部を制御する請求項１に記載の紙幣処理装置。
【請求項３】
前記制御部は、前記リジェクト発光部を制御するときに、紙幣の取り込みを一時停止するように前記受入部を制御する請求項１又は２に記載の紙幣処理装置。
【請求項４】
前記制御部は、前記識別部によってリジェクト要因を有する紙幣が識別されて前記リジェクト部に搬送される度に、当該リジェクト要因に対応する形態で発光するように前記リジェクト発光部を制御する請求項１に記載の紙幣処理装置。
【請求項５】
前記識別部の識別結果を記憶する記憶部を更に備え、
前記制御部は、前記受入部によって行われる紙幣の取り込みが停止した場合に、前記記憶部に記憶された識別結果に基づいて、前記リジェクト部に集積されたリジェクト紙幣のリジェクト要因のうち最も枚数が多いリジェクト要因に対応する形態で発光するように前記リジェクト発光部を制御する請求項１に記載の紙幣処理装置。
【請求項６】
前記識別部の識別結果及び前記リジェクト要因の優先順位を記憶する記憶部を更に備え、
前記制御部は、前記受入部によって行われる紙幣の取り込みが停止した場合に、前記記憶部に記憶された識別結果及び優先順位に基づいて、前記リジェクト部に集積されたリジェクト紙幣のリジェクト要因のうち優先順位が最も高いリジェクト要因に対応する形態で発光するように前記リジェクト発光部を制御する請求項１に記載の紙幣処理装置。
【請求項７】
前記制御部は、前記識別部によって偽券紙幣が識別された場合には、偽券紙幣を示す形態の発光を継続するように前記リジェクト発光部を制御する請求項１乃至６の何れか１項に記載の紙幣処理装置。
【請求項８】
前記制御部は、前記偽券紙幣の要因に対応する形態の発光を継続するように前記リジェクト発光部を制御する請求項７に記載の紙幣処理装置。
【請求項９】
前記制御部は、前記識別部によって偽券紙幣が識別された場合には、偽券紙幣を示す形態及びその他のリジェクト要因に対応する形態で発光するように前記リジェクト発光部を制御する請求項１乃至６の何れか１項に記載の紙幣処理装置。
【請求項１０】
前記リジェクト発光部は、前記リジェクト要因毎に対応する複数の発光モジュールを有し、
前記制御部は、前記リジェクト要因に対応する発光モジュールが発光するように前記リジェクト発光部を制御する請求項１乃至９の何れか１項に記載の紙幣処理装置。
【請求項１１】
前記リジェクト発光部は、複数の色を発光する発光モジュールを有し、
前記制御部は、前記リジェクト要因に対応する色を発光するように前記リジェクト発光部を制御する請求項１乃至１０の何れか１項に記載の紙幣処理装置。
【請求項１２】
前記リジェクト発光部は、複数の点滅速度で発光する発光モジュールを有し、
前記制御部は、前記リジェクト要因に対応する点滅速度で発光するように前記リジェクト発光部を制御する請求項１乃至１１の何れか１項に記載の紙幣処理装置。
【請求項１３】
前記リジェクト発光部は、前記リジェクト部に集積された紙幣に対して光を照射する請求項１乃至１２の何れか１項に記載の紙幣処理装置。
【発明の詳細な説明】
【技術分野】
【０００１】
本発明は、紙幣処理装置に関し、特に、紙幣を識別計数して入金する入金処理や、所定の紙幣だけを計数する分類処理などを行う紙幣処理装置に関する。
【発明の背景】
【０００２】
従来、紙幣の入金処理や分類処理などを行う紙幣処理装置は、識別できて計数した紙幣を集積する集積部と、リジェクト紙幣（識別できない紙幣又は計数しない紙幣）を集積するリジェクト部と、を備えている。入金処理や分類処理などでは、紙幣が識別され、種類毎の紙幣の枚数が計数される。このとき、所定のリジェクト要因（指定外金種、指定外方向（表裏、向き）、損券及び偽券など）に該当する紙幣は、リジェクト紙幣と判定され、リジェクト部に搬送される。すなわち、リジェクト部には、様々なリジェクト要因のリジェクト紙幣が集積される。
【０００３】
例えば、従来の紙幣処理装置として、特開２０００−２５９８９５号公報に開示された紙幣処理装置が知られている。この紙幣処理装置は、各集積部に設けられた表示部及び本体に設けられた本体表示部を備えている。各表示部には、対応する集積部に収容されるべき紙幣の金種、表裏、正損及び実際に収容された紙幣の情報（金種、枚数及び金額）が表示される。各集積部に表示部が設けられているので、オペレータは、表示部を見るだけで対応する集積部に収容された紙幣の情報を知ることができる。
【０００４】
しかし、従来の紙幣処理装置では、識別できて計数した紙幣を集積する集積部のみに表示部が設けられており、リジェクト紙幣を集積するリジェクト部には表示部が設けられていないので、集積部に集積された紙幣の情報及びリジェクト紙幣のリジェクト要因は本体表示部に表示されたり、その表示内容が文字などで表示されたりしている。そのため、オペレータは、リジェクト部からリジェクト紙幣を取り出すときに、リジェクト要因を直感的に認識することができなかった。
【０００５】
例えば、入金処理において金種指定を行い、指定金種のみを集積部に集積し、指定外金種をリジェクト部に一旦集積し、再度金種指定をし直してリジェクト部に集積された紙幣を再度入金処理する継続入金処理の場合には、指定外金種と偽券とが混合してリジェクト部に集積されるので、リジェクト部に集積された紙幣の中に偽券が含まれているか否かが不明確になる。従って、リジェクト要因が指定外金種と偽券の何れであるかを直感的に報知することによって、紙幣処理装置の入金処理や分類処理などの処理効率を向上させることができる。
【発明の開示】
【０００６】
本発明はこのような目的に鑑みて創作されたものであり、本発明によれば、リジェクト要因を直感的に報知することができ、ひいては、紙幣処理装置の入金処理や分類処理などの処理効率を向上させることができる。
【０００７】
本発明の第１態様によれば、
紙幣を受け入れて１枚ずつ内部に取り込む受入部と、
前記受入部によって取り込まれた紙幣を識別する識別部と、
紙幣を集積する集積部と、
リジェクト紙幣を集積するリジェクト部と、
複数の形態で発光するリジェクト発光部と、
前記受入部によって取り込まれた紙幣を前記集積部又は前記リジェクト部に搬送する搬送部と、
前記識別部によってリジェクト紙幣が識別された場合に、当該リジェクト紙幣のリジェクト要因毎に異なる形態で発光するように前記リジェクト発光部を制御する制御部と、を備えることを特徴とする紙幣処理装置が提供される。
【０００８】
本発明において、前記制御部は、前記識別部によって同一のリジェクト要因を有する紙幣が所定枚数識別された場合に、当該リジェクト要因に対応する形態で発光するように前記リジェクト発光部を制御することが好ましい。
【０００９】
本発明において、前記制御部は、前記リジェクト発光部を制御するときに、紙幣の取り込みを一時停止するように前記受入部を制御することが好ましい。
【００１０】
本発明において、前記制御部は、前記識別部によってリジェクト要因を有する紙幣が識別されて前記リジェクト部に搬送される度に、当該リジェクト要因に対応する形態で発光するように前記リジェクト発光部を制御することが好ましい。
【００１１】
本発明において、前記識別部の識別結果を記憶する記憶部を更に備え、
前記制御部は、前記受入部によって行われる紙幣の取り込みが停止した場合に、前記記憶部に記憶された識別結果に基づいて、前記リジェクト部に集積されたリジェクト紙幣のリジェクト要因のうち最も枚数が多いリジェクト要因に対応する形態で発光するように前記リジェクト発光部を制御することが好ましい。
【００１２】
本発明において、前記識別部の識別結果及び前記リジェクト要因の優先順位を記憶する記憶部を更に備え、
前記制御部は、前記受入部によって行われる紙幣の取り込みが停止した場合に、前記記憶部に記憶された識別結果及び優先順位に基づいて、前記リジェクト部に集積されたリジェクト紙幣のリジェクト要因のうち優先順位が最も高いリジェクト要因に対応する形態で発光するように前記リジェクト発光部を制御することが好ましい。
【００１３】
本発明において、前記制御部は、前記識別部によって偽券紙幣が識別された場合には、偽券紙幣を示す形態の発光を継続するように前記リジェクト発光部を制御することが好ましい。
【００１４】
本発明において、前記制御部は、前記偽券紙幣の要因に対応する形態の発光を継続するように前記リジェクト発光部を制御することが好ましい。
【００１５】
本発明において、前記制御部は、前記識別部によって偽券紙幣が識別された場合には、偽券紙幣を示す形態及びその他のリジェクト要因に対応する形態で発光するように前記リジェクト発光部を制御することが好ましい。
【００１６】
本発明において、前記リジェクト発光部は、前記リジェクト要因毎に対応する複数の発光モジュールを有し、
前記制御部は、前記リジェクト要因に対応する発光モジュールが発光するように前記リジェクト発光部を制御することが好ましい。
【００１７】
本発明において、前記リジェクト発光部は、複数の色を発光する発光モジュールを有し、
前記制御部は、前記リジェクト要因に対応する色を発光するように前記リジェクト発光部を制御することが好ましい。
【００１８】
本発明において、前記リジェクト発光部は、複数の点滅速度で発光する発光モジュールを有し、
前記制御部は、前記リジェクト要因に対応する点滅速度で発光するように前記リジェクト発光部を制御することが好ましい。
【００１９】
本発明において、前記リジェクト発光部は、前記リジェクト部に集積された紙幣に対して光を照射することが好ましい。
【図面の簡単な説明】
【００２０】
【図１】は、紙幣処理装置１００の内部構成を示す概略図である。
【図２】は、紙幣処理装置１００の制御ブロックを示すブロック図である。
【図３】は、識別データ１０１Ｂのデータ構造を示す概略図である。
【図４】は、設定データ１０１Ｃのデータ構造を示す概略図である。
【図５】は、入金処理の処理手順を示すフローチャートである。
【図６】は、リジェクト発光部の制御（１）の処理手順を示すフローチャートである。
【図７】は、リジェクト発光部の制御（２）の処理手順を示すフローチャートである。
【発明を実施するための最良の形態】
【００２１】
以下、本発明の実施例について図面を参照して説明する。なお、以下の実施例は、本発明の実施の一形態であって、本発明の範囲を限定するものではない。【００２２】
本発明の実施例は、リジェクト要因に対応する形態で発光するリジェクト発光部を備える紙幣処理装置の例である。【００２３】
まず、紙幣処理装置１００の構成について図１及び図２を参照して説明する。図１は、紙幣処理装置１００の内部構成を示す概略図であり、図２は、紙幣処理装置１００の制御ブロックを示すブロック図である。【００２４】
図１に示されるように、紙幣処理装置１００は、受入部１０３、識別部１０４、リジェクト部１０５、リジェクト発光部１０６、集積部１０７、搬送部１０８及び操作表示部１０９を備えている。また、図２に示されるように、紙幣処理装置１００は、記憶部１０１及び制御部１０２を更に備えている。【００２５】
記憶部１０１は、制御プログラム１０１Ａ、識別データ１０１Ｂ、設定データ１０１Ｃ及び種別情報１０１Ｄを記憶する。記憶部１０１は、制御部１０２のワーキングメモリとしても機能する。【００２６】
制御部１０２は、紙幣処理装置１００の各部１０１，１０３〜１０９に接続されている。制御部１０２は、記憶部１０１に記憶された制御プログラム１０１Ａを起動することによって、紙幣処理装置１００の各部１０３〜１０９を制御する。また、制御部１０２は、識別部１０４の識別結果（紙幣の種別情報、識別不能、搬送異常など）と記憶部１０１に記憶された計数するべき紙幣の種別情報１０１Ｄに基づいて、集積部１０７へ搬送する紙幣（以下、「正常紙幣」という）かリジェクト部１０５へ搬送する紙幣（以下、「リジェクト紙幣」という）かを判定する。制御部１０２は、識別結果の種別情報が記憶部１０１に記憶された種別情報１０１Ｄに該当する紙幣を正常紙幣と判定して集積部１０７へ搬送し、識別結果の種別情報が記憶部１０１に記憶された種別情報１０１Ｄに該当しない紙幣をリジェクト紙幣と判定してリジェクト部１０５へ搬送するように搬送部１０８を制御する。【００２７】
受入部１０３は、紙幣を受け入れて１枚ずつ紙幣処理装置１００の内部に取り込む。【００２８】
識別部１０４は、受入部１０３によって取り込まれた紙幣を識別し、識別結果を識別データ１０１Ｂとして記憶部１０１に書き込む。図３に示されるように、識別データ１０１Ｂは、正常紙幣の識別結果及びリジェクト紙幣の識別結果を含む。正常紙幣の識別結果は金種及び枚数を含み、リジェクト紙幣の識別結果はリジェクト要因及び枚数を含む。リジェクト要因は、識別不能、搬送異常（斜行、連鎖、重送など）、指定外金種、指定外方向（表裏、向き）、損券（欠損、汚損などの要因別枚数を含む）及び偽券（検知センサなどの要因別枚数を含む）などである。なお、リジェクト要因のうち、指定外金種及び指定外方向などは、制御部１０２によって識別データ１０１Ｂとして記憶部１０１に書き込まれる。【００２９】
リジェクト部１０５は、制御部１０２によってリジェクト紙幣と判定された紙幣を集積する。【００３０】
リジェクト発光部１０６は、リジェクト部１０５に集積されたリジェクト紙幣のリジェクト要因に対応する形態で発光する発光モジュール（例えば、ＬＥＤ）を有する。リジェクト発光部１０６は、リジェクト部１０５又はその近傍に設けられ、リジェクト部１０５に集積されたリジェクト紙幣に対して光を照射するように設けられても良い。なお、リジェクト発光部１０６は、複数の発光モジュールを有し、リジェクト要因に対応する発光モジュールを発光させても良い。また、リジェクト発光部１０６は、複数の色を発光する発光モジュールを有し、リジェクト要因に対応する色で発光モジュールを発光させても良い。また、リジェクト発光部１０６は、複数の点滅速度で発光する発光モジュールを有し、リジェクト要因に対応する点滅速度で発光モジュールを発光させても良い。また、リジェクト発光部１０６の複数の発光モジュールは、紙幣処理装置１００の一面（例えば、操作表示部１０９の下方）に設けられても良い。【００３１】
集積部１０７は、制御部１０２によって正常紙幣と判定された紙幣を集積する。【００３２】
搬送部１０８は、制御部１０２の制御に基づいて、受入部１０３によって取り込まれた紙幣を集積部１０７又はリジェクト部１０５に搬送する。【００３３】
操作表示部１０９は、オペレータの指示を受け付ける操作機構（図示せず）及びオペレータに所定の情報を表示する表示機構（図示せず）を有する。操作表示部１０９は、紙幣処理装置１００に対する設定の指示を受け付け、受け付けられた内容を設定データ１０１Ｃとして記憶部１０１に書き込む。図４に示されるように、設定データ１０１Ｃは、後述のリジェクト発光部の制御（１）において参照される「発光モード（１）」、後述のリジェクト発光部の制御（２）において参照される「発光モード（２）」、「偽券発光設定」、「取込停止設定」及び「発光形態」を含む。【００３４】
「発光モード（１）」は、「１枚モード」、「所定枚数モード」及び「偽券モード」を含む。「発光モード（２）」は、「最多枚数モード」及び「優先順位モード」を含む。「偽券発光設定」及び「取込停止設定」は、「ＯＮ」又は「ＯＦＦ」が設定されるようになっている。「発光形態」は、リジェクト要因（「搬送異常」、「指定外」、「識別異常」、「真偽異常」及び「リジェクトフル」）毎に定められた形態（「色」、「モジュール」及び「点滅速度」）を含む。「指定外」及び「真偽異常」は、リジェクト要因の内容毎に形態が異なる。【００３５】
次に、紙幣処理装置１００の動作について図１を参照して説明する。【００３６】
図１に示されるように、受入部１０３にセットされた紙幣は、繰り出しローラ５が回転することによって１枚ずつ紙幣処理装置１００の内部に取り込まれる。取り込まれた紙幣は、搬送ローラ６が回転することによって識別部１０４を通過する。このとき、追跡センサ７ａ，７ｂによって検知された時点から所定のタイミングで紙幣の金種が識別される。識別部１０４を通過した紙幣は、分岐レバー１１を経由してリジェクト部１０５又は集積部１０７に搬送される。このとき、追跡センサ７ｃに検知された時点から所定のタイミングでソレノイド１０が分岐レバー１１を駆動させる。リジェクト紙幣と判定された紙幣はリジェクト部１０５に搬送されるように分岐され、識別できて計数した紙幣は羽根車９を経由して集積部１０７に搬送されるように分岐される。リジェクト部１０５に集積された紙幣には、リジェクト発光部１０６によって所定の形態で発光された光が照射される。集積部１０７に集積された紙幣は、残留検知センサ２によって残留状態が検知される。上記の各部は、モータ１２によって駆動される。【００３７】
次に、紙幣処理装置１００の処理内容について図５〜図７を参照して説明する。図５は、入金処理の処理手順を示すフローチャートである。【００３８】
はじめに、受入部１０３は、紙幣を１枚ずつ紙幣処理装置１００の内部に取り込むための紙幣の取り込みを開始する（Ｓ５０１）。【００３９】
次に、識別部１０４は、受入部１０３によって取り込まれた紙幣を識別し、識別結果を識別データ１０１Ｂとして記憶部１０１に書き込む（Ｓ５０２）。【００４０】
Ｓ５０２の識別結果が種別情報１０１Ｄに該当しないリジェクト紙幣である場合には（Ｓ５０３−ＹＥＳ）、制御部１０２は、Ｓ５０１において取り込まれた紙幣をリジェクト部１０５に搬送する（Ｓ５０４）。【００４１】
次に、制御部１０２は、後述のリジェクト発光部の制御（１）を実行する（Ｓ５０５）。【００４２】
一方、Ｓ５０２の識別結果が種別情報１０１Ｄに該当する正常紙幣である場合には（Ｓ５０３−ＮＯ）、制御部１０２は、Ｓ５０１において取り込まれた紙幣を集積部１０７に搬送する（Ｓ５０６）。【００４３】
Ｓ５０２〜Ｓ５０６は、停止要件が発生するまで繰り返し行われる（Ｓ５０７−ＮＯ）。【００４４】
停止要件が発生した場合には（Ｓ５０７−ＹＥＳ）、受入部１０３は、紙幣の取り込みを停止する（Ｓ５０８）。例えば、受入部１０３から紙幣がなくなった場合、操作表示部１０９によって停止の指示が受け付けられた場合又は集積部１０７に所定枚数の紙幣が集積された場合に、停止要件が発生する。【００４５】
次に、リジェクト部１０５に紙幣がある場合には（Ｓ５０９−ＹＥＳ）、制御部１０２は、後述のリジェクト発光部の制御（２）を実行する（Ｓ５１０）。【００４６】
入金処理は、リジェクト部１０５に紙幣がない場合（Ｓ５０９−ＮＯ）又はＳ５１０の後に終了する。【００４７】
図６は、リジェクト発光部の制御（１）の処理手順を示すフローチャートである。リジェクト発光部の制御（１）は、リジェクト紙幣がリジェクト部１０５に搬送される度に行われる処理である。【００４８】
はじめに、制御部１０２は、記憶部１０１に記憶された識別データ１０１Ｂ及び設定データ１０１Ｃを参照する（Ｓ６０１）。【００４９】
設定データ１０１Ｃの「発光モード（１）」が「１枚モード」である場合には（Ｓ６０２−Ａ）、制御部１０２は、リジェクト要因に対応する形態で発光するようにリジェクト発光部１０６を制御する（Ｓ６０３）。例えば、図４の「発光形態」の「リジェクトフル」に該当する場合に「１枚モード」が選択される。【００５０】
一方、設定データ１０１Ｃの「発光モード（１）」が「所定枚数モード」である場合には（Ｓ６０２−Ｂ）、制御部１０２は、識別データ１０１Ｂの「リジェクト紙幣の識別結果」の「枚数」が「所定枚数モード」に示された所定枚数に達しているリジェクト要因に対応する形態で発光するようにリジェクト発光部１０６を制御する（Ｓ６０４）。例えば、図４の「発光形態」の「搬送異常」又は「指定外」に該当する場合に「所定枚数モード」が選択される。【００５１】
Ｓ６０３若しくはＳ６０４の後、又は設定データ１０１Ｃの「発光モード（１）」が設定されていない場合（Ｓ６０２−Ｃ）であって、設定データ１０１Ｃの「偽券発光設定」が「ＯＮ」である場合には（Ｓ６０５−ＹＥＳ）、制御部１０２は、偽券紙幣の要因に対応する形態で発光するようにリジェクト発光部１０６を制御する（Ｓ６０６）。【００５２】
偽券発光設定が「ＯＦＦ」の場合（Ｓ６０５−ＮＯ）又はＳ６０６の後であって、設定データ１０１Ｃの「取込停止設定」が「ＯＮ」である場合には（Ｓ６０７−ＹＥＳ）、受入部１０３は、紙幣の取り込みを一時停止する（Ｓ６０８）。なお、リジェクト部１０５に集積されたリジェクト紙幣が受入部１０３にセットし直されたときに一時停止が解除される。【００５３】
リジェクト発光部の制御（１）は、設定データ１０１Ｃの「取込停止設定」が「ＯＦＦ」の場合（Ｓ６０７−ＮＯ）又はＳ６０８の後に終了する。【００５４】
図７は、リジェクト発光部の制御（２）の処理手順を示すフローチャートである。リジェクト発光部の制御（２）は、受入部１０３の紙幣の取り込みが停止した後に行われる処理である。【００５５】
はじめに、制御部１０２は、記憶部１０１に記憶された識別データ１０１Ｂ及び設定データ１０１Ｃを参照する（Ｓ７０１）。【００５６】
設定データ１０１Ｃの「発光モード（２）」が「最多枚数モード」である場合には（Ｓ７０２−Ａ）、制御部１０２は、最も枚数が多いリジェクト要因に対応する形態で発光するようにリジェクト発光部１０６を制御する（Ｓ７０３）。【００５７】
一方、設定データ１０１Ｃの「発光モード（２）」が「優先順位モード」である場合には（Ｓ７０２−Ｂ）、優先順位の最も高いリジェクト要因に対応する形態で発光するようにリジェクト発光部１０６を制御する（Ｓ７０４）。【００５８】
設定データ１０１Ｃの「偽券発光設定」が「ＯＮ」である場合には（Ｓ７０５−ＹＥＳ）、制御部１０２は、偽券紙幣の要因に対応する形態で発光するようにリジェクト発光部１０６を制御する（Ｓ７０６）。【００５９】
リジェクト発光部の制御（２）は、設定データ１０１Ｃの「偽券発光設定」が「ＯＦＦ」の場合（Ｓ７０５−ＮＯ）又はＳ７０６の後に終了する。【００６０】
なお、本発明の実施例では、制御部１０２は、リジェクト発光部１０６を制御するときに、リジェクト要因を示す文字又は画像を操作表示部１０９に表示しても良い。【００６１】
また、本発明の実施例では、リジェクト発光部１０６は、リジェクト紙幣がリジェクト部１０５に集積される度に１個の形態で発光しても良いし、１度発光した形態を継続的に維持しても良い。【００６２】
本発明の実施例によれば、リジェクト発光部１０６がリジェクト要因に対応する形態で発光するので、リジェクト要因を直感的に報知することができ、ひいては、紙幣処理装置１００の入金処理や分類処理などの処理効率を向上させることができる。【００６３】
また、本発明の実施例によれば、リジェクト発光部１０６が光を用いてリジェクト要因を直感的に報知するので、次の作業の予測を容易化するともに、紙幣処理装置１００の操作性を向上させることができる。
【図１】
2009122500.tif 000003
【図２】
2009122500.tif 000004
【図３】
2009122500.tif 000005
【図４】
2009122500.tif 000006
【図５】
2009122500.tif 000007
【図６】
2009122500.tif 000008
【図７】
2009122500.tif 000009
【国際調査報告】
2009122500.tif 000010
2009122500.tif 000011
2009122500.tif 000012
2009122500.tif 000013